(57)【要約】【課題】  芯線等の電線周りを絶縁体のゴム等で覆った芯線に外傷を負わせずに効率的に被覆を剥ぐ被覆剥ぎ装置及び方法を提供する。【解決手段】電線の被覆に切込みを入れるカッター部１と、被覆を掴む回転部３とを備え、被覆を掴む回転部３は、導線の軸を中心として被覆を回転させる。また、カッター部１又は回転部３は、電線の軸方向に被覆を押し出す機構を含んでいる。【選択図】  図１
2005323484.tif 000002
【特許請求の範囲】
【請求項１】
導体と、前記導体を覆う絶縁体の被覆とから成る電線の前記被覆を剥ぐ被覆剥ぎ装置において、被覆に切込みを入れる手段と、被覆を掴む手段とを備え、前記被覆を掴む手段は、前記導線の軸を中心として前記被覆を回転させることを特徴とする被覆剥ぎ装置。
【請求項２】
前記切込みを入れる手段又は被覆を掴む手段は、前記軸方向に被覆を押し出す機構を含むことを特徴とする請求項１記載の被覆剥ぎ装置。
【請求項３】
導体と、前記導体を覆う絶縁体の被覆とから成る電線を前記被覆の側面から切込みを入れるステップと、切込みを入れた前記被覆を軸方向に移動させながら、回転させるステップと、からなる被覆剥ぎ方法。
【発明の詳細な説明】
【技術分野】
【０００１】  この発明は、芯線等の電線周りを絶縁体のゴム等で覆った芯線に外傷を負わせずに効率的に被覆を剥ぐ被覆剥ぎ装置及び方法に関する。
【背景技術】
【０００２】  電気を通すケーブルは、銅線等の導体で構成された芯線の周りに絶縁体で構成された被覆より成っている。ケーブルを電気部品或いは電気回路に接続する際には、被覆を剥がして、芯線のみを接続しなければならない。
従来、カッターやストリッパ等の被覆削除器具を用いて、被覆を取り除いていた。また近年では、電気駆動源を用いた被覆の切断工具の開発がされ、この被覆切断工具は、切断刃を備えており、回転電動工具によって回転させることにより、ケーブルの被覆を切断刃で螺旋状に切断除去して芯線を露出させていた（例えば、特許文献１）。
【特許文献１】特開平０８−２５６４１２号
【発明の開示】
【発明が解決しようとする課題】
【０００３】  しかしながら、従来の技術を用いてケーブルの被覆を剥いだ芯線は纏まった束になっていないため、電気回路にハンダ付け等で繋ぐ際に予め纏めなくてはならない。その際、芯線を指で摘んで回していたため、芯線に手垢や油が付着してしまい、電気的な精度を落としてしまった。【０００４】  本発明の目的は、ケーブルの芯線に外傷を負わせることなく被覆だけを剥ぎ、且つ被覆を剥ぐと同時に芯線を纏めることにある。
【課題を解決するための手段】
【０００５】  上記目的を達成させるため、本発明では、導体と、前記導体を覆う絶縁体の被覆とから成る電線の前記被覆を剥ぐ被覆剥ぎ装置において、被覆に切込みを入れる手段と、被覆を掴む手段とを備え、前記被覆を掴む手段は、前記導線の軸を中心として前記被覆を回転させる。また、前記切込みを入れる手段又は被覆を掴む手段は、前記軸方向に被覆を押し出す機構を含む。【０００６】  また、被覆剥ぎ方法は、導体と、前記導体を覆う絶縁体の被覆とから成る電線を前記被覆の側面から切込みを入れるステップと、切込みを入れた前記被覆を軸方向に移動させながら、回転させるステップと、からなる。
【発明の効果】
【０００７】  本発明により、ケーブルの芯線に外傷を負わせることなく被覆だけを剥ぎ、且つ被覆を剥ぐと同時に芯線を纏めることが可能となる。
【発明を実施するための最良の形態】
【０００８】  以下、本発明の実施形態について図を参照しながら詳細に説明する。図１に本発明の第１実施形態を示す。被覆剥ぎ装置は、ケーブル４の被覆５に切込みを入れるカッター部１と、被覆を回転させる回転部３と、被覆剥ぎ制御部２とから構成される。カッター部１は、２つのカッターを組み合わせたものからなり、被覆に切込みを入れるため、銅線等の導体で構成された芯線６の形に合わせて溝が両方に設けられている。また、芯線６を出すためにケーブル４の軸方向にスライドさせる機構をもち、被覆５の切込み部より引っ張り、芯線６剥き出しにする。よって、ケーブル４から所望の芯線６のみを取得し、活用することができる。なお、カッター部１は、芯線６の太さに応じて、随時、径の大きさを変更することにより、様々なバリエーションの芯線６を得ることができる。図２に示すように、被覆５を掴んで、被覆５を回転させる回転部３は、カッター部１と同様に２つの部分からなり、ケーブル４の形に合わせて両方向から覆って掴む構造になっており、回転させる機構を備えている。また、剥き出しにしたい芯線６の長さを設定するために回転部３とカッター部１には、サイズ調節機能を設けている。回転部３とカッター部１の間の距離を調整すれば、芯線６の長さを任意に設定することできる。なお、芯線６のみを回転させたい場合にも、この方式を適用させることができる。【０００９】  図３にハンドフォルド型の皮剥ぎ装置を示す。これは、従来のストリッパに回転部３を取り付けたものである。回転制御部２であるハンドフォルダ７を握ることにより、被覆５の側面から矢印の方向に切込みを入れ、回転部３で被覆５を掴む。そして、ハンドフォルダ７を離すことにより、回転部３を回転させ、被覆５をケーブル４の軸方向に押し上げ、排除する。したがって、ハンとフォルダ７を１回握ることにより、被覆５を剥がし、芯線６を纏めることができる。【００１０】  ここで、本発明の第１実施形態の動作について図４、図５、図６を用いて説明する。まず、図４に示すようにカッター部１を用いて被覆５の側面から矢印の方向に切込みを入れる。また、回転部３を用いて被覆５を掴む。（ステップ１）【００１１】  図５に示すようにカッター部１を軸方向に移動させ、被覆５をケーブル４の軸方向に押し上げながら、ステップ１で被覆を掴んだ回転部３で被覆５を回転させる。（ステップ２）【００１２】  図６に示すように被覆を全て剥がすように軸方向に押し上げると、芯線６は、ねじれた状態になる。（ステップ３）【００１３】  芯線６を回転させるのは、円筒方向に１本１本導線が配置されてあるため、図７に示すようにそれぞれバラバラに配列されてある。電気回路にハンダ付け等で繋ぐ際に、束を回転させて、予め１本の芯線６として纏めておかなくてはならない。そこで第１実施形態では、芯線６を直接回転させて纏めるのではなく、被覆５を回転させ、被覆５と芯線６の間の摩擦力を用いて、芯線６の束を回転させているのである。以上のように第１実施形態では被覆５の排除と同時に芯線６を纏めることができるのである。【００１４】  図８に本発明の第２実施形態を示す。被覆５を回転させる機構を歯型にしたものである。この被覆剥ぎ装置は、第１実施形態同様、ケー���ル４の被覆５に切込みを入れるカッター部１と、被覆を回転させる回転部３と、被覆剥ぎ制御部２とから構成される。回転部３は、２つの歯型回転部からなり、被覆５を２つの歯型回転部で電線の直径方向から挟み、２つの歯型回転部は双方逆方向にスライドさせ、被覆５を回転させている。以上のように第２実施形態では被覆５の排除と同時に芯線６を纏めることができるのである。【００１５】  図９、図１０、図１１に本発明の第３実施形態を示す。複数のケーブルの被覆を効率的に剥がすために、ベルト機構を設けたものである。図９に示すようにベルト機構は、２つの回転ベルトからなり、回転ベルト１０は、ケーブル４の同心円方向に傾きをもって設置されている。回転ベルト１１は、線軸に対して垂直に設置されており、上部に被覆５を切る刃１２が備えられている。【００１６】  回転ベルト１１には刃が設置されているため、被覆に切込みを入れることができ、また、回転ベルト１０は、ケーブル４の同心円方向に傾きをもって設置されているため、回転によってケーブル４を上方向に押し上げることができる。押し上げ時に回転ベルト１０と回転ベルト１１の回転数を変化させ、ケーブル４を回転させる回転数と、被覆５を回転させる回転数を異ならせる。このようにケーブル４と被覆５の回転数を異ならせることによって、芯線を少ない回転数側にねじらせることができる。【００１７】  図１０、図１１に回転ベルト１０を上部からみた断面図を示す。回転ベルト１０は、１組のベルトからなっている。図１０に示すように、回転ベルト１０ａには、左右両回転を与え、回転ベルト１０ｂには、右回転のみを与えている。図１１に示すように、回転ベルト１０ａには、左回転を与え、回転ベルト１０ｂには、回転ベルト１０ａに与える回転数よりも多い右回転を与えている。このように回転ベルト１０ａと回転ベルト１０ｂに与える回転数を変化させて、ケーブル４を右方向に移動させることができる。以上のように第３実施形態では被覆５の排除と同時に芯線６を纏めることができるのである。【００１８】  なお、第３実施形態では、１本のケーブル４について示したが、ケーブル４は複数本挿入してもよく、複数本の被覆を同時に剥がすことができ、効率的な作業を行うことができる。
【図面の簡単な説明】
【００１９】
【図１】本発明の第１実施形態を示す図である。
【図２】本発明の第１実施形態の詳細を示す図である。
【図３】本発明の第１実施形態の具体例を示す図である。
【図４】本発明の第１実施形態の動作を示す図である。
【図５】本発明の第１実施形態の動作を示す図である。
【図６】本発明の第１実施形態の動作を示す図である。
【図７】従来技術を示す図である。
【図８】本発明の第２実施形態を示す図である。
【図９】本発明の第３実施形態を示す図である。
【図１０】本発明の第３実施形態を示す図である。
【図１１】本発明の第３実施形態を示す図である。
【符号の説明】
【００２０】１  カッター部
２  被覆剥ぎ制御部
３  回転部
【図１】
2005323484.tif 000003
【図２】
2005323484.tif 000004
【図３】
2005323484.tif 000005
【図４】
2005323484.tif 000006
【図５】
2005323484.tif 000007
【図６】
2005323484.tif 000008
【図７】
2005323484.tif 000009
【図８】
2005323484.tif 000010
【図９】
2005323484.tif 000011
【図１０】
2005323484.tif 000012
【図１１】
2005323484.tif 000013